(57)【要約】【課題】使い捨て水着の前後認識を容易にすることを目的とする。より好ましくは、使い捨て水着の前後認識を容易にしつつも、前後で体型の異なる乳幼児の体型に沿った使い捨て水着を提供することを目的とする。【解決手段】上下方向と、左右方向と、前記上下方向及び前記左右方向と直交する前後方向と、着用時において乳幼児の前面に位置する前身頃（１０）、及び背面に位置する後身頃（２０）と、前記左右方向に伸縮する弾性部材（２３）を備えた乳幼児用上半身部分の使い捨て水着（１）であって、前記前身頃（１０）と前記後身頃（２０）の形状が異なっていることを特徴とする乳幼児用上半身部分の使い捨て水着（１）。【選択図】図２
2018197402.tif 000002
【特許請求の範囲】
【請求項１】
上下方向と、左右方向と、前記上下方向及び前記左右方向と直交する前後方向と、
着用時において乳幼児の前面に位置する前身頃、及び背面に位置する後身頃と、
前記左右方向に伸縮する弾性部材を備えた乳幼児用上半身部分の使い捨て水着であって、
前記前身頃と前記後身頃の形状が異なっていることを特徴とする乳幼児用上半身部分の使い捨て水着。
【請求項２】
請求項１の乳幼児用上半身部分の使い捨て水着であって、
前記弾性部材を伸長させた状態において、
前記前身頃の面積は、前記後身頃の面積よりも大きいことを特徴とする乳幼児用上半身部分の使い捨て水着。
【請求項３】
請求項１又は２に記載の乳幼児用上半身部分の使い捨て水着であって、
前記弾性部材を伸長させた状態において、
前記上下方向において、前記前身頃の最も長い部分の長さは、前記後身頃の最も長い部分の長さよりも長いことを特徴とする乳幼児用上半身部分の使い捨て水着。
【請求項４】
請求項３に記載の乳幼児用上半身部分の使い捨て水着であって、
前記上下方向において、
前記前身頃の下端と前記後身頃の下端は同じ位置であり、
前記前身頃の最も上側に位置する前身頃最上端は、前記後身頃の最も上側に位置する後身頃最上端よりも上側に位置することを特徴とする乳幼児用上半身部分の使い捨て水着。
【請求項５】
請求項１から４のいずれか１項に記載の乳幼児用上半身部分の使い捨て水着であって、
前記弾性部材を伸長させた状態において、
前記前身頃の前記左右方向の一方から他方までの上端の形状は、前記後身頃の前記一方から前記他方までの上端の形状と異なっていることを特徴とする乳幼児用上半身部分の使い捨て水着。
【請求項６】
請求項５に記載の乳幼児用上半身部分の使い捨て水着であって、
前記前身頃の前記左右方向の中央における上端と前記前身頃最上端との前記上下方向の長さは、前記後身頃の前記左右方向の中央における上端と前記後身頃最上端との前記上下方向の長さよりも長いことを特徴とする乳幼児用上半身部分の使い捨て水着。
【請求項７】
請求項１から６のいずれか１項に記載の乳幼児用上半身部分の使い捨て水着であって、
前記弾性部材は、糸ゴムであり、
前記前身頃に設けられた前記糸ゴムの数と、前記後身頃に設けられた前記糸ゴムの数が異なっていることを特徴とする乳幼児用上半身部分の使い捨て水着。
【請求項８】
請求項７に記載の乳幼児用上半身部分の使い捨て水着であって、
前記前身頃に設けられた前記糸ゴムの数より、前記後身頃に設けられた前記糸ゴムの数が多いことを特徴とする乳幼児用上半身部分の使い捨て水着。
【請求項９】
請求項１から８のいずれか１項に記載の乳幼児用上半身部分の使い捨て水着であって、
前記弾性部材は、前記後身頃に設けられており、前記前身頃には設けられていないことを特徴とする乳幼児用上半身部分の使い捨て水着。
【請求項１０】
請求項１から９のいずれか１項に記載の乳幼児用上半身部分の使い捨て水着であって、
前記前身頃と前記後身頃は、一対の接合部で接合されており、
前記乳幼児用上半身部分の使い捨て水着の自然状態において、一対の前記接合部は、前記乳幼児用上半身部分の使い捨て水着の後側に設けられていることを特徴とする乳幼児用上半身部分の使い捨て水着。
【請求項１１】
請求項１から９のいずれか１項に記載の乳幼児用上半身部分の使い捨て水着であって、
前記前身頃と前記後身頃は、１つの接合部で接合されており、
前記乳幼児用上半身部分の使い捨て水着の自然状態において、前記接合部は、前記乳幼児用上半身部分の使い捨て水着の後側の前記左右方向の中央部に設けられていることを特徴とする乳幼児用上半身部分の使い捨て水着。
【請求項１２】
請求項１０又は１１に記載の乳幼児用上半身部分の使い捨て水着であって、
前記前身頃の前記左右方向の中央部は、下側に窪んだ窪み部を有しており、
前記窪み部の最も下側に位置する窪み部最下端が、前記接合部の上端よりも上側に位置することを特徴とする乳幼児用上半身部分の使い捨て水着。
【請求項１３】
請求項１から１２のいずれか１項に記載の乳幼児用上半身部分の使い捨て水着であって、
前記左右方向の一方側及び他方側にそれぞれ前記上下方向に伸縮する肩紐弾性部材を備えた肩紐を有しており、
前記肩紐の端部は、それぞれ前記前身頃と前記後身頃に固定されており、
前記肩紐弾性部材の少なくとも一部は、前記弾性部材と前記前後方向に重なっていることを特徴とする乳幼児用上半身部分の使い捨て水着。
【請求項１４】
請求項１から１３のいずれか１項に記載の乳幼児用上半身部分の使い捨て水着であって、
襞を備えたフリルを有しており、
前記襞の数は、前記乳幼児用上半身部分の使い捨て水着の前側と後側とで異なっていることを特徴とする乳幼児用上半身部分の使い捨て水着。
【請求項１５】
請求項１４に記載の乳幼児用上半身部分の使い捨て水着であって、
前記襞の数は、前記前側の方が前記後側よりも多いことを特徴とする乳幼児用上半身部分の使い捨て水着。
【請求項１６】
請求項１４又は１５に記載の乳幼児用上半身部分の使い捨て水着であって、
前記前側には、複数の前記襞を設け、
前記後側には、前記襞を設けないことを特徴とする乳幼児用上半身部分の使い捨て水着。
【請求項１７】
請求項１から１６のいずれか１項に記載の乳幼児用上半身部分の使い捨て水着と、
吸収性本体、一対の胴回り部、胴回り開口部、及び一対の脚回り開口部を有する乳幼児用下半身部分の使い捨て水着と
を備えた使い捨て水着のセット。
【請求項１８】
上下方向と、左右方向と、前記上下方向及び前記左右方向と直交する前後方向と、
着用時において乳幼児の前面に位置する前身頃、及び背面に位置する後身頃と、
前記左右方向に伸縮する弾性部材を備えた乳幼児用上半身部分の使い捨て水着の製造方法であって、
前記前身頃と前記後身頃を異なる形状に形成することを特徴とする乳幼児用上半身部分の使い捨て水着の製造方法。
【発明の詳細な説明】
【技術分野】
【０００１】
本発明は、乳幼児用上半身部分の使い捨て水着、使い捨て水着のセット、及び乳幼児用上半身部分の使い捨て水着の製造方法に関する。
【背景技術】
【０００２】
プールや水遊びで乳幼児が着用するための使い捨て水着が知られている。特許文献１には、下半身用使い捨て水着１Ａと上半身用使い捨て水着１Ｂを交互に連続製造して得られる使い捨て水着１Ａ、１Ｂが記載されている。
【先行技術文献】
【特許文献】
【０００３】
【特許文献１】特開２００９−８４７３５号公報
【発明の概要】
【発明が解決しようとする課題】
【０００４】
しかし、特許文献１の上半身用使い捨て水着１Ｂは、前身頃Ｆと後身頃Ｂの形状が同じであるため、上半身用使い捨て水着１Ｂの前側と後側を区別することが難しく、特に乳幼児が自分で着用しようとする際に、前側と後側を認識することが困難であった。また、乳幼児の身体は、一般的に背面よりも前面が丸みを帯びた体型である。前身頃Ｆと後身頃Ｂが同じ形状である特許文献１の上半身用使い捨て水着１Ｂでは、着用者である乳幼児の身体にフィットしない恐れがあった。
【０００５】
本発明は、上記のような問題に鑑みてなされたものであって、使い捨て水着の前後認識を容易にすることを目的とする。より好ましくは、使い捨て水着の前後認識を容易にしつつも、前後で体型の異なる乳幼児の体型に沿った使い捨て水着を提供することを目的とする。
【課題を解決するための手段】
【０００６】
上記目的を達成するための主たる発明は、上下方向と、左右方向と、前記上下方向及び前記左右方向と直交する前後方向と、着用時において乳幼児の前面に位置する前身頃、及び背面に位置する後身頃と、前記左右方向に伸縮する弾性部材を備えた乳幼児用上半身部分の使い捨て水着であって、前記前身頃と前記後身頃の形状が異なっていることを特徴とする乳幼児用上半身部分の使い捨て水着である。
本発明の他の特徴については、本明細書及び添付図面の記載により明らかにする。
【発明の効果】
【０００７】
本発明によれば、乳幼児や乳幼児に着用させようとする者が乳幼児用上半身部分の使い捨て水着の前側と後側を認識しやすくなるため、着用がより容易になる。また、前後で異なる身体の形状を有する乳幼児の体型に応じた形状にすることができるため、乳幼児の身体によりフィットさせやすくすることができる。
【図面の簡単な説明】
【０００８】
【図１】図１Ａは、着用状態の使い捨て水着１００を正面から見た図である。図１Ｂは、着用状態の使い捨て水着１００を背面から見た図である。
【図２】図２Ａは、展開状態且つ伸長状態の上半身部分の使い捨て水着１を肌側面側から見た概略平面図である。図２Ｂは、図２Ａ中のＡ−Ａ矢視で示す概略断面図である。
【図３】図３Ａは、展開状態且つ伸長状態の肩紐構成部材３０を肌側面から見た略平面図である。図３Ｂは、図３Ａ中のＢ−Ｂ矢視で示す概略平面図である。
【図４】図４は、図３Ａの略平面図の構成を説明する概略図である。
【図５】図５は、着用状態の使い捨て水着１００を側面から見た図である。
【図６】図６は、上半身部分の使い捨て水着１の製造における各工程のフロー図である。
【図７】図７は、上半身部分の使い捨て水着１を製造する製造装置２００について説明する図である。
【図８】図８は、上半身部分の使い捨て水着１の機材が搬送方向に搬送される様子について説明する図である。
【図９】図９は、図８の後、孔部３８が形成された状態を説明する図である。
【発明を実施するための形態】
【０００９】
本明細書及び添付図面の記載により、少なくとも以下の事項が明らかとなる。
上下方向と、左右方向と、前記上下方向及び前記左右方向と直交する前後方向と、着用時において乳幼児の前面に位置する前身頃、及び背面に位置する後身頃と、前記左右方向に伸縮する弾性部材を備えた乳幼児用上半身部分の使い捨て水着であって、前記前身頃と前記後身頃の形状が異なっていることを特徴とする乳幼児用上半身部分の使い捨て水着である。
【００１０】
このような乳幼児用上半身部分の使い捨て水着によれば、乳幼児や乳幼児に着用させようとする者が乳幼児用上半身部分の使い捨て水着の前側と後側を認識しやすくなるため、着用がより容易になる。また、前後で異なる身体の形状を有する乳幼児の体型に応じた形状にすることができるため、乳幼児の身体によりフィットさせやすくすることができる。
【００１１】
かかる乳幼児用上半身部分の使い捨て水着であって、前記弾性部材を伸長させた状態において、前記前身頃の面積は、前記後身頃の面積よりも大きい。
【００１２】
このような乳幼児用上半身部分の使い捨て水着によれば、乳幼児や乳幼児に着用させようとする者が乳幼児用上半身部分の使い捨て水着の前側と後側を認識しやすくなり、また、前後で異なる身体の形状を有する乳幼児の体型に応じた形状にすることができる。
【００１３】
かかる乳幼児用上半身部分の使い捨て水着であって、前記弾性部材を伸長させた状態において、前記上下方向において、前記前身頃の最も長い部分の長さは、前記後身頃の最も長い部分の長さよりも長いことが望ましい。
【００１４】
このような乳幼児用上半身部分の使い捨て水着によれば、乳幼児や乳幼児に着用させようとする者が乳幼児用上半身部分の使い捨て水着の前側と後側を認識しやすくなり、また、前後で異なる身体の形状を有する乳幼児の体型に応じた形状にすることができる。
【００１５】
かかる乳幼児用上半身部分の使い捨て水着であって、前記上下方向において、前記前身頃の下端と前記後身頃の下端は同じ位置であり、前記前身頃の最も上側に位置する前身頃最上端は、前記後身頃の最も上側に位置する後身頃最上端よりも上側に位置することが望ましい。
【００１６】
このような乳幼児用上半身部分の使い捨て水着によれば、乳幼児や乳幼児に着用させようとする者が乳幼児用上半身部分の使い捨て水着の前側と後側を認識しやすくなり、また、前後で異なる身体の形状を有する乳幼児の体型に応じた形状にすることができる。
【００１７】
かかる乳幼児用上半身部分の使い捨て水着であって、前記弾性部材を伸長させた状態において、前記前身頃の前記左右方向の一方から他方までの上端の形状は、前記後身頃の前記一方から前記他方までの上端の形状と異なっていることが望ましい。
【００１８】
このような乳幼児用上半身部分の使い捨て水着によれば、乳幼児や乳幼児に着用させようとする者が乳幼児用上半身部分の使い捨て水着の前側と後側を認識しやすくなるため、着用がより容易になる。
【００１９】
かかる乳幼児用上半身部分の使い捨て水着であって、前記前身頃の前記左右方向の中央における上端と前記前身頃最上端との前記上下方向の長さは、前記後身頃の前記左右方向の中央における上端と前記後身頃最上端との前記上下方向の長さよりも長いことが望ましい。
【００２０】
このような乳幼児用上半身部分の使い捨て水着によれば、デザイン性を向上させ、一般的な洋服や水着のような形状にすることができるため、より前側と後側を認識しやすくすることができる。
【００２１】
かかる乳幼児用上半身部分の使い捨て水着であって、前記弾性部材は、糸ゴムであり、前記前身頃に設けられた前記糸ゴムの数と、前記後身頃に設けられた前記糸ゴムの数が異なっていることが望ましい。
【００２２】
このような乳幼児用上半身部分の使い捨て水着によれば、前身頃と後身頃の収縮力を異なるものにすることができるため、前後で異なる身体の形状を有する乳幼児の体型によりフィットさせやすくすることができる。
【００２３】
かかる乳幼児用上半身部分の使い捨て水着であって、前記前身頃に設けられた前記糸ゴムの数より、前記後身頃に設けられた前記糸ゴムの数が多いことが望ましい。
【００２４】
このような乳幼児用上半身部分の使い捨て水着によれば、乳幼児は背面よりも前面の方が丸みを帯びた体型であるため、糸ゴムの数をより少なくした前身頃は乳幼児の身体の前面に緩やかに沿いやすくなり、糸ゴムの数をより多くした後身頃は乳幼児の背面にフィットしやすくなる。
【００２５】
かかる乳幼児用上半身部分の使い捨て水着であって、前記弾性部材は、前記後身頃に設けられており、前記前身頃には設けられていないことが望ましい。
【００２６】
このような乳幼児用上半身部分の使い捨て水着によれば、乳幼児は背面よりも前面の方が丸みを帯びた体型であるため、弾性部材を設けていない前身頃は乳幼児の身体の前面に緩やかに沿いやすくなり、弾性部材を設けた後身頃は乳幼児の背面にフィットしやすくなる。
【００２７】
かかる乳幼児用上半身部分の使い捨て水着であって、前記前身頃と前記後身頃は、一対の接合部で接合されており、前記乳幼児用上半身部分の使い捨て水着の自然状態において、一対の前記接合部は、前記乳幼児用上半身部分の使い捨て水着の後側に設けられていることが望ましい。
【００２８】
このような乳幼児用上半身部分の使い捨て水着によれば、着用者を正面から見た際に、接合部が視認できない場所に設けられているため、美観が向上する。また、動きの多い脇の下や身体の前面よりも動きの少ない背面に接合部を設けるため、着用者に違和感を生じさせにくくすることができる。
【００２９】
かかる乳幼児用上半身部分の使い捨て水着であって、前記前身頃と前記後身頃は、１つの接合部で接合されており、前記乳幼児用上半身部分の使い捨て水着の自然状態において、前記接合部は、前記乳幼児用上半身部分の使い捨て水着の後側の前記左右方向の中央部に設けられていることが望ましい。
【００３０】
このような乳幼児用上半身部分の使い捨て水着によれば、着用者を正面から見た際に、接合部が視認できない場所に設けられているため、美観が向上する。また、動きの多い身体の前面や脇の下よりも、動きの少ない背面に接合部を設けるため、着用者に違和感を生じさせにくくすることができる。
【００３１】
かかる乳幼児用上半身部分の使い捨て水着であって、前記前身頃の前記左右方向の中央部は、下側に窪んだ窪み部を有しており、前記窪み部の最も下側に位置する窪み部最下端が、前記接合部の上端よりも上側に位置することが望ましい。
【００３２】
このような乳幼児用上半身部分の使い捨て水着によれば、弾性部材の伸長や着用時における左右方向の力が加えられた場合でも、前身頃が破損してしまう恐れを軽減させることができる。
【００３３】
かかる乳幼児用上半身部分の使い捨て水着であって、前記左右方向の一方側及び他方側にそれぞれ前記上下方向に伸縮する肩紐弾性部材を備えた肩紐を有しており、前記肩紐の端部は、それぞれ前記前身頃と前記後身頃に固定されており、前記肩紐弾性部材の少なくとも一部は、前記弾性部材と前記前後方向に重なっていることが望ましい。
【００３４】
このような乳幼児用上半身部分の使い捨て水着によれば、着用状態で肩紐が上下方向に伸長されても肩紐と前身頃又は後身頃との固定をより強くすることができる。
【００３５】
かかる乳幼児用上半身部分の使い捨て水着であって、襞を備えたフリルを有しており、前記襞の数は、前記乳幼児用上半身部分の使い捨て水着の前側と後側とで異なっていることが望ましい。
【００３６】
このような乳幼児用上半身部分の使い捨て水着によれば、前側と後側のフリルの数を異なるものにすることで、着用者を正面から見たときの美観を向上させることができる。
【００３７】
かかる乳幼児用上半身部分の使い捨て水着であって、前記襞の数は、前記前側の方が前記後側よりも多いことが望ましい。
【００３８】
このような乳幼児用上半身部分の使い捨て水着によれば、前側により多くの襞を備えたフリルを設けることで、着用者を正面から見たときの美観を向上させることができる。
【００３９】
かかる乳幼児用上半身部分の使い捨て水着であって、前記前側には、複数の前記襞を設け、前記後側には、前記襞を設けないことが望ましい。
【００４０】
このような乳幼児用上半身部分の使い捨て水着によれば、前側に襞を備えたフリルを設けることで、着用者を正面から見たときの美観を向上させることができる。
【００４１】
乳幼児用上半身部分の使い捨て水着と、吸収性本体、一対の胴回り部、胴回り開口部、及び一対の脚回り開口部を有する乳幼児用下半身部分の使い捨て水着とを備えた使い捨て水着のセットである。
【００４２】
このような使い捨て水着のセットによれば、乳幼児は一般的な水着と同様に上半身及び下半身を保護した状態の使い捨て水着を着用することができる。
【００４３】
上下方向と、左右方向と、前記上下方向及び前記左右方向と直交する前後方向と、着用時において乳幼児の前面に位置する前身頃、及び背面に位置する後身頃と、前記左右方向に伸縮する弾性部材を備えた乳幼児用上半身部分の使い捨て水着の製造方法であって、前記前身頃と前記後身頃を異なる形状に形成することを特徴とする乳幼児用上半身部分の使い捨て水着の製造方法である。
【００４４】
このような製造方法によって製造された乳幼児用上半身部分の使い捨て水着によれば、乳幼児や乳幼児に着用させようとする者が乳幼児用上半身部分の使い捨て水着の前側と後側を認識しやすくなるため、着用がより容易になる。また、前後で異なる身体の形状を有する乳幼児の体型に応じた形状にすることができるため、乳幼児の身体によりフィットさせやすくすることができる。
【００４５】
＝＝＝実施形態＝＝＝
本発明に係る乳幼児用の使い捨て水着の実施形態を説明する。図１Ａは、着用状態の使い捨て水着を正面から見た図である。図１Ｂは、着用状態の使い捨て水着を背面から見た図である。
【００４６】
図１Ａ及び図１Ｂに示すように、乳幼児用使い捨て水着１００は、乳幼児用上半身部分の使い捨て水着１と乳幼児用下半身部分の使い捨て水着２とのセットである。以下、乳幼児用使い捨て水着を「水着」や「水着のセット」ともいい、乳幼児用上半身部分の使い捨て水着を「上半身部分の水着」、乳幼児用下半身部分の使い捨て水着を「下半身部分の水着」ともいう。乳幼児用使い捨て水着１００は、乳幼児、特に女児を着用対象としたものであり、２〜４歳児により適している。以下、水着１００を着用する乳幼児を「着用者」ともいう。
【００４７】
図１Ａ及び図１Ｂに示す着用状態おいて、水着１００は、上下方向と左右方向と前後方向とを有しており、着用者の頭側を「上側」、脚側を「下側」とし、着用者の腹側を「前側」又は「正面」、背側を「後側」又は「背面」とする。
【００４８】
上半身部分の水着１は、袖がなく、肩紐が左右に設けられたキャミソールに似た形状である。図１Ａ及び図１Ｂに示すように、着用状態において、上半身部分の水着１は、下半身部分の水着２よりも上側に位置しており、着用者のおへそよりも上側に位置している。上半身部分の水着１の詳細については後述する。
【００４９】
下半身部分の水着２は、一般的なパンツ型の使い捨ておむつである。本実施形態においては、着用者の股間に配置される吸収性本体と、着用者の胴回りを覆う一対の胴回り部と、胴回り開口部、及び一対の脚回り開口部を有する所謂３ピースタイプのパンツ型使い捨ておむつである。
【００５０】
吸収性本体は、厚さ方向の肌側から順に、トップシート、吸収体、バックシート、外装シートを備えている。トップシートは液透過性シートであり、親水性のエアスルー不織布やスパンボンド不織布等を用いることができる。バックシートは、液不透過性シートであり、ポリエチレンフィルムやポリプロピレンフィルム等を用いることができる。トップシート及びバックシートは、吸収体を覆う大きさである。
【００５１】
一対の胴回り部は、着用者の腹側を覆う腹側胴回り部と背側を覆う背側胴回り部である。腹側胴回り部及び背側胴回り部は、それぞれ不織布等の柔軟な２枚のシート部材と、左右方向に伸縮する糸ゴム等の複数の胴回り弾性部材とを備えている。複数の胴回り弾性部材は、上下方向に間隔を空けて並んで配されるとともに、左右方向に伸長した状態で２枚のシート部材の間に固定されている。これによって、腹側胴回り部及び背側胴回り部は左右方向に伸縮可能であり、着用者の胴回りにフィットする。
【００５２】
吸収性本体の腹側上端部の非肌側面と腹側胴回り部の肌側面とを接着剤等で接合し、吸収性本体の背側上端部の非肌側面と背側胴回り部の肌側面とを接着剤等で接合し、腹側胴回り部と背側胴回り部とが対向するように吸収性本体を二つ折りして、腹側胴回り部の左右方向の側部と背側胴回り部の側部とを接合することにより、パンツ型の下半身部分の水着２となる。
【００５３】
図１Ａ及び図１Ｂに示すように、使い捨て水着１００は、上半身部分の水着１と下半身部分の水着２を備えることで、一般的な水着と同様に、着用者の上半身と下半身を保護した状態にすることができる。なお、上半身部分の水着１と下半身部分の水着２は、視覚的に統一感を有していることがより好ましい。例えば、上半身部分の水着１と下半身部分の水着２の、色や模様が同一であったり、特徴的な形状を有していたりすることが好ましい。これによって、美観性をより向上させることができる。
【００５４】
＝＝＝乳幼児用上半身部分の使い捨て水着１の構成＝＝＝
図２Ａは、展開状態且つ伸長状態の上半身部分の使い捨て水着１を肌側面側から見た概略平面図である。図２Ｂは、図２Ａ中のＡ−Ａ矢視で示す概略断面図である。図３Ａは、展開状態且つ伸長状態の肩紐構成部材３０を肌側面から見た略平面図である。図３Ｂは、図３Ａ中のＢ−Ｂ矢視で示す概略平面図である。なお、「展開状態」とは、キャミソール型の上半身部分の水着１の接合部１Ｂを分離し、開いて上半身部分の水着１全体を平面的に展開した状態である。「伸長状態」とは、上半身部分の水着１の皺が視認できなくなる程度まで、上半身部分の水着１が備える弾性部材を伸長させた状態を示す。具体的には、上半身部分の水着１を構成する各部材（例えば、後述する後身頃２０等）の寸法がその部材単体の寸法と一致又はそれに近い寸法になるまで伸長させた状態である。図２Ａ中のＣ−Ｃ線は左右方向における中心線である。
【００５５】
図２Ａ及び図２Ｂの状態（展開状態且つ伸長状態）での上半身部分の水着１の上下方向を「長手方向」といい、長手方向の一方側を「正面」、「前面」又は「下側」、他方側を「背面」、「後面」又は「下側」ともいい、長手方向における中央部Ｃ１０側を「上側」という。また、上半身部分の水着１は、厚さ方向を有し、着用者に接触する側を「肌側」とし、その逆側を「非肌側」とする。展開状態且つ伸長状態での「厚さ方向」は、着用状態における「前後方向」に相当する。
【００５６】
図２Ａの展開状態にて示されるように、上半身部分の水着１は、中心線Ｃ−Ｃに対して左右対称な形状であり、前身頃１０と、後身頃２０と一対の肩紐３５、３５を有する。前身頃１０の下端部１０ｂと後身頃２０の下端部２０ｂとが対向するように中央部Ｃ１０で２つ折りして、前身頃１０の左右方向の両側部１０ｅと後身頃２０の両側部２０ｅとを接合して一対の接合部１Ｂとすることで、キャミソール型の上半身部分の水着１となる。
【００５７】
図２Ａ及び図３Ａに示すように、肩紐構成部材３０は、一対の肩紐部３５（「肩紐３５」ともいう。）と肩紐固定部３６を有している。一対の肩紐部３５は、着用状態において、キャミソール型の肩紐を構成する部分である。２つの肩紐部３５は、ほぼ同じ大きさで、同じ形状の矩形形状である。肩紐部３５は、肩紐構成部材３０の左右方向の一方側端部と他方側の端部に設けられており、肩紐構成部材３０の長手方向の前側端から後側端まで設けられている。肩紐固定部３６は、肩紐構成部材３０の長手方向の各端部を、前身頃１０及び後身頃２０に固定している部分であり、肩紐固定部３６と前身頃１０又は後身頃２０とが重ねられている部分である。本実施形態において、肩紐構成部材３０の長手方向の各端部で、且つ、左右方向の各端部は、肩紐部３５であり、肩紐固定部３６でもある。
【００５８】
図３Ｂに示すように、肩紐構成部材３０は、最も肌側にトップシート３１と、トップシート３１より非肌側にバックシート３２、外装シート３３を備え、複数の肩紐弾性部材３４を備えている。トップシート３１は、液透過性シートであり、親水性のエアスルー不織布やスパンボンド不織布等を例示できる。バックシート３２は、液不透過性シートであればよく、ポリエチレンフィルムやポリプロピレンフィルム等を例示できる。外装シート３３は、液透過性シートでも液不透過性シートでもよい。但し、本実施形態においては、より疎水性を高めるために、液不透過性シートを用いている。外装シート３３は、左右方向の端部が肌側に向かって折り返されており、折り返された外装シート３３の内側にバックシート３２と肩紐弾性部材３４を配置している。
【００５９】
図３Ａに示すように、肩紐部３５は、各構成部材（３１、３２・・・）が重ね合わせられた肩紐構成部材３０を、前身頃１０及び後身頃２０に固定した状態で、貫通した孔部３８を形成することによって設けられている。孔部３８は、前側の端部に襟部１５を備えた長手方向に長い略楕円形状である。肩紐構成部材３０を含め、上半身部分の水着１の製造方法は、後述する。
【００６０】
前身頃１０は、不織布等の柔軟な２枚のシート部材１１、１２を備える。図２Ｂに示すように、非肌側シート部材１２は、肌側シート部材１１より非肌側に位置している。非肌側シート部材１２は下端部が上側に向かって折り返されており、折り返された非肌側シートの左右方向の端部は肌側シート部材１１より肌側に位置している。本実施形態において、肌側に位置する肌側シート部材１１は、液透過性シートであり、親水性のエアスルー不織布やスパンボンド不織布等を例示でき、非肌側に位置する非肌側シート部材１２は、液不透過性シートであり、ポリエチレンフィルムやポリプロピレンフィルム等を例示できる。２枚のシート部材１１、１２は、重ね合わされて、接着剤等で固定されている。
【００６１】
前身頃１０は、短辺が上側、長辺が下側に位置する略台形形状に類似した形状であり、略台形形状から襟部１５を除いた形状である。襟部１５は、肩紐部３５より左右方向の内側を上側に向かって切り取られ、窪ませた形状であり、左右方向の中央部が最も窪んでいる。着用状態においては、襟部１５は略Ｖ字形状となる。なお、前身頃１０には、弾性部材が設けられていない。
【００６２】
後身頃２０は、不織布等の不織布等の柔軟なシート部材２１、２２と、左右方向に伸縮する糸ゴム等の複数の弾性部材２３を備える。本実施形態において、肌側に位置する肌側シート部材２１は、肌側シート部材１１と同様に液透過性シートであり、非肌側に位置する非肌側シート部材２２は、非肌側シート部材１２と同様に、液不透過性シートである。複数の弾性部材２３は、上下方向に間隔を空けて並んで配されるとともに、左右方向に伸長した状態で２枚のシート部材（２１、２２）の間に固定されている。図２Ｂに示すように、非肌側シート部材２２は、肌側シート部材２１より非肌側に位置しており、非肌側シート部材２２の下端部は上側に向かって折り返され、折り返された部分は、肌側シート部材２１より肌側に位置している。弾性部材２３は、２枚のシート部材２１、２２の間に挟まれた状態で、接着剤等で固定されている。したがって、後身頃２０は左右方向に伸縮可能であり、着用者の背面にフィットする。
【００６３】
図２Ａ及び図４に示すように、前身頃１０と後身頃２０の形状は異なっている。図４は、図３Ａの略平面図の構成を説明する概略図である。図４においては、図２Ａの略平面図から弾性部材２３等を省略して示している。前身頃１０及び後身頃２０は、いずれも左右対称の形状を有しているが、後身頃２０は、左右方向の長さより長手方向の長さが長い長方形である。一方、前身頃１０は、上側に短辺、下側に長辺を有する略台形形状である。このように、前身頃１０と後身頃２０の形状が異なっていることで、着用者や着用させようとする人が、上半身部分の水着１の前側と後側を認識しやすくすることができる。特に、着用対象者である乳幼児は、自我が芽生え始める過程にあり、自分で使い捨て水着を着用しようとする場合がある。そのため、異なる形状の前身頃１０と後身頃２０備えることで、乳幼児が上半身部分の水着１の前側と後側を見分けやすくなり、乳幼児がひとりで着用しやすくさせることができる。また、乳幼児の一般的な体型は、背中よりもお腹が膨らんでいる。そのため、前身頃１０と後身頃２０の形状を異なるものにすることで、乳幼児に体型に適した上半身部分の水着１にすることができる。
【００６４】
さらに、前身頃１０の左右方向の一方から他方までの上端１０ｆの形状が、後身頃２０の左右方向の一方から他方までの上端２０ｆの形状と異なっていることで、前身頃１０と後身頃２０を認識しやすくしている。つまり、図２Ａ及び図４に示すように、後身頃２０の上端２０ｆは、左右方向に沿った略直線であるのに対し、前身頃１０の上端１０ｆは、最も上側に位置する最上端（前身頃最上端）１０ｔと、最上端１０ｔから側部１０ｅの上端まで内側に向かって湾曲した湾曲部１６と、最上端１０ｔから下側に向かって窪んだ形状の襟部１５を有している。湾曲部１６は、着用状態において着用者の上腕を動かしやすくさせるために、内側に向かって湾曲させた形状としている。通常、人間は腕を前に動かす動作を行うことが多いため、湾曲部１６を設けることで、着用者の動きを妨げてしまう恐れを軽減することができる。襟部１５は、着用状態において着用者の襟元を覆う部分である。本実施形態においては、襟部１５は、複数個の湾曲した形状を備え、左右方向の中央部が最も下側に位置し、左右方向の中央部から外側に向かうにつれて上側に位置しており、着用状態において略Ｖ字形状となる。このとき、前身頃１０の左右方向の中央における上端１０ｃと、最上端１０ｔとの上下方向の長さＬｃは、後身頃２０の左右方向の中央における上端２０ｃと、最上端２０ｔとの上下方向の長さよりも長い。つまり、図４に示すように、前身頃１０の左右方向の中央における上端１０ｃは、最上端１０ｔよりも下側に位置しているため、Ｌｃは０より大きい。一方、後身頃２０の左右方向の中央における上端２０ｃは、最上端２０ｔと上下方向の位置がほぼ同じであるため、上下方向の長さは０となる。
【００６５】
上端１０ｆと上端２０ｆの形状が異なることで、乳幼児等は、上半身部分の水着１の前側と後側をより認識しやすくなる。また、左右方向の中央における上端１０ｃと最上端１０ｔとの間に所定の上下方向の長さ（Ｌｃ）を有することで、着用状態において、襟元を解放した形状とすることができるため、デザイン性を向上させることができ、着用者を正面から見た際の美観を向上させることができる。
【００６６】
なお、本実施形態においては、前身頃１０の上端１０ｆは、最上端１０ｔと湾曲部１６と襟部１５を有し、後身頃２０の上端２０ｆを略直線としたが、これに限られない。上端１０ｆ及び上端２０ｆはいずれも直線状であってもよいし、複数の湾曲部が連続した形状のみであってもよいし、前身頃１０だけでなく、後身頃２０の左右方向の中央部が下側に向かって窪んでいる形状であってもよい。上端１０ｆ及び上端２０ｆはそれぞれ任意の形状とすることができる。
【００６７】
図２Ａ及び図４に示すように、前身頃１０は後身頃２０よりも大きい。つまり、前身頃１０の面積は、後身頃２０の面積よりも大きい。また、上下方向において、前身頃１０の最も長い部分の長さ（Ｌ１０）は、後身頃２０の最も長い部分の長さ（Ｌ２０）よりも長い（Ｌ１０＞Ｌ２０）。図４に示すように、本実施形態においては、前身頃１０の上下方向の長さが最も長い部分は、肩紐部３５と重なった部分であり、前身頃１０の最も下側に位置する最下端１０ｂから最も上側に位置する最上端（前身頃最上端）１０ｔまでの上下方向の長さはＬ１０である。後身頃２０は、上下方向の長さがほぼ一定であるため、後身頃２０の最も下側に位置する最下端２０ｂから最も上側に位置する最上端（後身頃最上端）２０ｔまでの上下方向の長さは、左右方向の全域に亘ってＬ２０となる。なお、前身頃１０の最下端１０ｂ及び後身頃２０の最下端２０ｂは、左右方向に沿った、略平行な直線である。
【００６８】
本実施形態において、側部１０ｅと側部２０ｅの上下方向の長さは略同一である。そのため、上述のように、前身頃１０の側部１０ｅと後身頃２０の側部２０ｅを接合してキャミソール型の上半身部分の水着１を形成すると、着用時に襟元を覆う部分となる長さＬＭの領域が前身頃１０の側部１０ｅの上端より上側に位置することになる。つまり、前身頃１０の最下端１０ｂと後身頃２０の最下端２０ｂの上下方向の位置を同じにすると、前身頃１０の上端１０ｔは、後身頃２０の最上端２０ｔよりも上側に位置することになる。本実施形態においては、上下方向において、前身頃１０の長さが最も長い部分（Ｌ１０）と後身頃２０の長さが最も長い部分（Ｌ２０）の差は、長さＬＭとなる（Ｌ１０−Ｌ２０＝ＬＭ）。
【００６９】
このような前身頃１０及び後身頃２０を有することで、乳幼児は前身頃１０と後身頃２０をより認識しやすくなる。さらに、上半身部分の水着１を着用する目的の一つである、着用者の胸部を覆うという観点においても、後身頃２０よりも前身頃１０をより大きくすることで、乳幼児の体型に対応して適切に着用者の胸部を覆うことができる。
【００７０】
さらに、図２Ａに示すように、後身頃２０には複数の弾性部材２３を設けているが、前身頃１０には弾性部材を設けていない。つまり、後身頃２０は左右方向に伸縮するが、前身頃１０は、左右方向への伸縮がほとんどない。そのため、着用状態においては、着用者を正面から見ると、図１Ａのように、上半身部分の水着１には弾性部材による皺をほとんど視認することができないが、着用者を背面から見ると、図１Ｂのように、上半身部分の水着１に複数の皺を視認することができる。
【００７１】
図５は、着用状態の使い捨て水着１００を側面から見た図である。図５においては、着用状態の乳幼児を右側から見た様子を表しており、乳幼児は両手を上に上げている。図５に示すように、乳幼児の背面は弾性部材によって適度にフィットした状態となっている一方、乳幼児の前面は、弾性部材による締め付けがないため、前身頃１０は乳幼児の身体に単に被さっているような状態となり、乳幼児の前面に沿った形状となる。
【００７２】
乳幼児は、一般的に腹部が前にせり出した体型をしているため、前面が背面よりも丸みを帯び、前面についても胸囲よりも腹囲の方が大きく、胸元から腹部にかけて膨らんだ体型となっている。例えば、前身頃１０に後身頃２０と同様に弾性部材を配置すると、弾性部材はより収縮しやすい部分に移動してしまう傾向があるため、身体の前面のうち膨らみの小さい胸元まで弾性部材が移動して収縮してしまうため、前身頃１０が上方向に引っ張られて胸元まで上がってしまい、狭い領域に複数の弾性部材が集まってしまって胸元を過度に締め付けてしまう恐れがある。また、前身頃１０に弾性部材を備えていると、乳幼児の動きに応じて前身頃１０の下部が上方向に引き上げられやすくなり、上半身部分の水着１を着用しているにも関わらず、乳幼児の上半身を適切に覆うこともできなくなってしまう恐れや、引き上げられた前身頃１０が乳幼児の動きを阻害してしまう恐れがある。
【００７３】
これに対し、本実施形態の上半身部分の水着１は、後身頃２０に弾性部材２３を備え、前身頃１０に弾性部材を備えないことで、前身頃１０が弾性部材によって上方向に引っ張られて弾性部材が胸元に集められて過度に収縮しないようにすることができる。また、着用状態において、弾性部材を備えていない前身頃１０は、乳幼児の身体と密着しない部分を有することができるため、乳幼児の動きによって前身頃１０が引き上げられてしまう恐れを軽減し、引き上げられた前身頃１０によって乳幼児の動きが制限される恐れを軽減することができる。これによって、乳幼児の上半身部分を適切に覆いつつ、乳幼児の体型に応じた形状の上半身部分の水着１にすることができる。
【００７４】
さらに、上半身部分の水着１は自然状態において、前身頃１０の側部１０ｅと後身頃２０の側部２０ｅがそれぞれ接合された一対の接合部１Ｂが、上半身部分の水着１の後側に設けられている。上半身部分の水着１の「自然状態」とは、以下のように定義される。まず、製品として梱包されている上半身部分の水着１をパッケージから取り出した後、前身頃１０及び後身頃２０を左右方向の両外側に引っ張り前身頃１０及び後身頃２０がそれぞれ各部材単体の寸法と一致又はそれに近い長さになるまで伸長させる。この伸長させた状態を１５秒間継続させた後、上半身部分の水着１の伸長させた状態を解除して机等の平面に置く。そして、この平面に置いた状態で５分間経過させた状態が上半身部分の水着１の自然状態である。
【００７５】
上半身部分の水着１は、前身頃１０に弾性部材を備えておらず、後身頃２０に複数の弾性部材２３を備えているため、自然状態では、弾性部材２３が収縮すると、後身頃２０が左右方向に縮められる。その結果、自然状態として、前身頃１０を下側、後身頃２０を上側として平面に置いて５分間経過させた状態では、一対の係止部１Ｂが上側に位置しており、前身頃１０の一部（左右方向の端部の少なくとも一部）も上側に位置している。
【００７６】
この上半身部分の水着１を着用すると、図５に示すように、接合部１Ｂは着用者のより背面側に位置している。この接合部１Ｂの位置は、下半身部分の水着２と比較すると明らかである。下半身部分の水着２は、前胴回り部と後胴回り部の両方に左右方向に伸縮する弾性部材を備えており、胴回り部と後胴回り部とを接合した接合部２Ｂは、着用者の前面と背面のほぼ境界に位置している。つまり、上半身部分の水着１の接合部１Ｂは、下半身部分の水着２の接合部２Ｂより後側に位置していることがわかる。
【００７７】
接合部１Ｂが後側に位置することで、接合部１Ｂは視認が難しい位置に設けられているため、上半身部分の水着１を着用した着用者を正面から見た際に、正面からの美観を向上させることができる。また、接合部１Ｂは、溶着等の接合によって硬くなっているため、背面に接合部１Ｂを設けることで、身体の前面や脇の下のように動きの多い部分に接合部１Ｂを設けた際に感じる恐れのある着用者の着用している際の違和感をより軽減させることができる。
【００７８】
また、図４等に示すように、左右方向の中央部に襟部１５の最も窪んだ部分が設けられており、最も下側に窪んだ部分の最下端１５ｂは、前身頃１０の上端１０ｆが最も下側に位置する部分である。最下端１５ｂは、キャミソール型の上半身部分の水着１の接合部１Ｂの上端よりも上側に位置することが好ましい。つまり、前身頃１０の上端１０ｆが、接合部１Ｂの上端よりも下側に位置している部分を有しないことが好ましい。キャミソール型の上半身部分の水着１は、伸長状態において、襟部１５の最下端１５ｂが、弾性部材２３よりも上側に位置することになる。左右方向の一方側の係止部１Ｂと他方側係止部１Ｂによって前身頃１０と後身頃２０は環状につながっているため、着用時や着用しようとする際に、一対の係止部１Ｂ間に引っ張り力が働く。ここで、襟部１５の最下端１５ｂが接合部１Ｂの上端よりも下側に位置すると、引っ張り力によって、襟部１５の最下端１５ｂが破損の起点になりやすくなってしまう。この点、接合部１Ｂの上端より上側に襟部１５の最下端１５ｂを設けることで、襟部１５の最下端１５ｂが破損の起点となる恐れを軽減させることができる。
【００７９】
さらに、図２Ａに示すように、肩紐部３５の肩紐弾性部材３４の後身頃２０側の端部は、後身頃２０の弾性部材２３と厚さ方向で重なっている。これによって、例えば肩紐弾性部材３４が上下方向に強く引っ張られて、肩紐弾性部材３４が過度に伸長しようとしても、肩紐弾性部材３４と重なっている後身頃２０の弾性部材２３は左右方向に伸長するため、肩紐弾性部材３４の過度な上下方向への伸長を軽減させることができる。そのため、肩紐部３５が上下方向の伸長によって破損したり、後身頃２０から離れてしまったりしてしまう恐れを軽減することができ、肩紐構成部材３０と後身頃２０との固定をより強固にすることができる。
【００８０】
以上の上半身部分の水着１の基本構成に加えて、フリル等の装飾を加えてもよい。着用対象者は主に女児であることから、可愛い装飾等を加えることで着用者等の関心をより引くことができる。例えば、前身頃１０及び後身頃２０に複数の襞を備えたフリル（図示せず）を設けることができる。このとき、前身頃１０に設けた前フリルの襞の数と後身頃２０に設けた後フリル２０の襞の数を異なるものにしてもよい。襞の数が異なるフリルを備えることで、乳幼児は上半身部分の水着１の前側と後側を認識しやすくなる。
【００８１】
さらに、前フリルの襞の数を後フリルの襞の数より多くすることがより好ましい。前側により多くの襞を設けることで、着用者を正面から見たときの美観を向上させることができる。また、乳幼児は上半身部分の水着１の前側と後側を認識よりしやすくなる。
【００８２】
また、前フリルだけを設けて、後フリルを設けないものであってもよい。少なくとも前側にフリルを設けることで、着用者を正面から見たときの美観を向上させることができる。
【００８３】
なお、上半身部分の水着１に加える装飾は、フリルだけに限られない。図柄、スパンコール、ラインストーン等、乳幼児が喜ぶ装飾を適宜加えることができる。
【００８４】
なお、上半身部分の水着１の肩紐部３５の厚さ方向に重ねられた資材の数が、前身頃１０及び後身頃２０の厚さ方向に重ねられた資材の数よりも多いことがより好ましい。肩紐部３５は、前身頃１０及び後身頃２０よりも左右方向の長さが短いにも関わらず、着用時や着用中には、着用者の動き等によって、上下方向の力が多く加えられる部分であることから破損しやすくなってしまう。そのため、肩紐部３５の厚さ方向に重ねられた資材の数をより多くすることで、肩紐部３５が破損する恐れをより軽減させることができる。
【００８５】
また、肩紐部３５が破損する恐れをより軽減すべく、１枚の外装シート３３の左右方向の端部が肌側に向かって折り返されていることが好ましい。更には、外層シート３３の折り返された部分にフィルムを介在させることが好ましい。前述した実施形態においては、図３Ｂに示すように、肌側から順に、外装シート３３、バックシート３２、外装シート３３を重ねることで、より剛性を高めている。また、肩紐部３５が、外装シート３３よりも剛性の高いポリエチレンフィルムやポリプロピレンフィルム等の液不透過性のフィルムシートからなるバックシート３２を備えることで、肩紐部３５の破損をより軽減している。
【００８６】
さらに、肩紐部３５には、肩紐弾性部材３４を備えて、肩紐部３５の上下方向の伸縮性を付与している。肩紐弾性部材３４の剛性によって上下方向の力による肩紐部３５の破損を防ぐとともに、着用者の身体の大きさの違いに対応すべく伸縮による調整が可能となっている。
【００８７】
なお、本実施形態においては、１つの肩紐構成部材３０が一対の肩紐部３５を備えて、一方側の肩紐部３５と他方側の肩紐部３５が、肩紐固定部３６でつながっている構成としたが、これに限られない。一方側の肩紐部３５と他方側の肩紐部３５が分離していてもよい。これによって、任意の形状の肩紐部３５を任意の場所に設けることができるため、上半身部分の水着１の着心地やデザイン性を向上させることができる。但し、１つの肩紐構成部材３０が一対の肩紐部３５を備えて、一方側の肩紐部３５と他方側の肩紐部３５が、肩紐固定部３６でつながっている構成とすることで、肩紐固定部３６をより広くすることができ、肩紐部３５と前身頃１０又は後身頃２０との接合強度をより向上させることができる。
【００８８】
＝＝＝上半身部分の使い捨て水着１の製造方法＝＝＝
続いて、上半身部分の水着１の製造方法について説明する。図６は、上半身部分の使い捨て水着１の製造における各工程のフロー図である。図７は、上半身部分の使い捨て水着１を製造する製造装置２００について説明する図である。
【００８９】
図６に示すように、上半身部分の水着１は、基材搬送（Ｓ２０１）、接着領域形成（Ｓ２０２）、弾性部材配置（Ｓ２０３）、基材の重ね合せ（Ｓ２０４）、弾性部材切断（Ｓ２０５）、基材切断（Ｓ２０６）、肩紐構成部材配置（Ｓ２０７）、孔部切り抜き（Ｓ２０８）、基材折り畳み（Ｓ２０９）、溶着（Ｓ２１０）、基材切り離し（Ｓ２１１）の各工程を経ることで形成される。
【００９０】
以下、製造装置２００を参照しつつ、各工程について説明する。図７に示す製造装置２００は、上記の各工程（Ｓ２０１〜Ｓ２１１）を実施することによって、上半身部分の水着１を連続的に製造する。製造装置２００は、搬送機構２０１と、接着領域形成機構２１０と、弾性部材配置機構２２０と、重ね合せ機構２３０と、弾性部材切断機構２４０と、基材切断機構２５０と、肩紐構成部材接合機構２６０と、孔部切り抜き機構２７０と、折り畳み機構２８０と、溶着機構２９０と、切り離し機構３００と、を備える。
【００９１】
まず、上半身部分の水着１の基材ａ（ｂ）（以下、単に「基材」ともいう。）が搬送機構２０１によって、所定の搬送速度で搬送される。「上半身部分の水着１の基材」とは、前身頃１０と後身頃２０を構成する非肌側シート部材１２、２２（又は、肌側シート部材１１、２１）を上下方向に並べてつながった状態で、左右方向に連続してなる帯状の部材であり、基材ａは、非肌側シート部材が連続してなる帯状のシート部材で、基材ｂは、肌側シート部材が連続してなる帯状のシート部材である。なお、「搬送方向」とは、図２Ａにおける前身頃１０、後身頃２０の左右方向に沿った方向である。以下の説明では、搬送方向と交差する方向（すなわち前身頃１０、後身頃２０の上下方向に沿った方向）を「交差方向」ともいう。
【００９２】
図８は、上半身部分の水着１の基材が搬送方向に搬送される様子について説明する図であり、肩紐構成部材配置工程（Ｓ２０７）が実施された後の状態を表している。上半身部分の水着１をキャミソール型にする際に、上半身部分の水着１の左右方向の端部を構成する部分である切断箇所ＣＬが設定され、この切断箇所ＣＬを基準として各工程の動作が制御される。なお、切断箇所ＣＬは搬送方向にＰ１の間隔（ピッチ）で設定される。この間隔Ｐ１は、前身頃１０及び後身頃２０の収縮前の横方向長さに相当する。
【００９３】
次に、接着領域形成機構２１０において、搬送された基材ａ上の後身頃２０に該当する所定の領域にホットメルト型の接着剤を付着させて、接着領域を形成する（Ｓ２０２）。接着領域は、基材ａ上で切断箇所ＣＬを挟んで搬送方向の両側に一対の接着領域を形成する。
【００９４】
続いて、弾性部材配置機構２２０において、複数の弾性部材２３を搬送方向に伸長した状態で配置する（Ｓ２０３）。このとき、複数の弾性部材２３の少なくとも一部の領域が接着領域と重なるように配置して、基材ａに接着される。
【００９５】
そして、重ね合せ機構２３０において、基材ａと複数の弾性部材２３の上から基材ｂを重ね合わせる（Ｓ２０４）。これにより、複数の弾性部材２３が厚さ方向において、基材ａと基材ｂに挟み込まれた状態で固定される。
【００９６】
次に、弾性部材切断機構２４０において、隣接する切断箇所ＣＬ同士の間における中央部の弾性部材２３を切断する。弾性部材切断機構２４０は、カッターとカッターを支持する部材が所定の動作を行うことで、所定箇所の弾性部材２３を切断する。
【００９７】
そして、基材切断機構２５０において、基材ａ及び基材ｂから、前身頃１０が連続してなる帯状前身頃１０ｚと、後身頃２０が連続してなる帯状後身頃２０ｚに分離する。このとき、帯状前身頃１０ｚと帯状後身頃２０ｚを交差方向の長さが異なるように切断する。
【００９８】
その後、肩紐構成部材接合機構２６０において、帯状前身頃１０ｚと帯状後身頃２０ｚとの間に架け渡すように、肩紐構成部材３０を配置し、接合する（Ｓ２０７）。帯状前身頃１０ｚ及び帯状後身頃２０ｚと肩紐構成部材３０との接合は、ホットメルト接着剤等を用いて行われる。ホットメルト接着剤等で接合された領域が、肩紐固定部３６である。図８に示すように、この状態の肩紐構成部材３０には孔部３８及び肩紐部３５は形成されていない。なお、この工程において、肩紐構成部材３０の長手方向の各端部を跨ぐように、それぞれ前身頃１０、後身頃２０（帯状前身頃１０ｚ、後身頃２０ｚ）の左右方向の長さが同じであるシート部材１４、２４を肌側から重ねてもよい。シート部材１４、２４を設けることで、着用時の肌触りを向上させることができる。
【００９９】
次に、孔部切り抜き機構２７０において、肩紐構成部材３０と帯状前身頃１０ｚに孔部３８を形成すると同時に、帯状前身頃１０ｚに湾曲部１６を形成する（Ｓ２０８）。図９は、図８の後、孔部３８が形成された状態を説明する図である。孔部３８は、肩紐構成部材３０及び帯状前身頃１０ｚを貫通した孔であり、孔部切り抜き機構２７０に設けられたカッターローラーとアンビルローラーとの間に挟み込んで通過させることで形成される。湾曲部１６は、切断箇所ＣＬを中心として搬送方向両側に設けられた半円形状からなり、孔部３８を形成するカッターローラーとアンビルローラーを用いて、交差方向の外側に向けて窪ませることで形成される。このとき、交差方向において、孔部３８の帯状前身頃１０ｚ側の端が、帯状前身頃１０ｚの最も窪んだ部分ｕよりも帯状後身頃２０ｚ側に位置していることが好ましい。これによって、一定のテンションをかけた状態で搬送方向に帯状前身頃１０ｚを搬送させた場合でも、孔部３８の帯状前身頃１０ｚ側の端において裂け目が発生することを軽減することができるため、帯状前身頃１０ｚを安定して搬送することができる。また、帯状前身頃１０ｚと帯状後身頃２０ｚを異なる形状とすることが好ましい。図９に示すように、帯状後身頃２０ｚは、搬送方向に沿った辺は、搬送方向に略平行な辺のみを有するが、帯状前身頃１０ｚは、交差方向の外側は搬送方向に略平行な辺を有し、交差方向の内側は切断箇所ＣＬを中心として搬送方向両側に湾曲部１６を有する。基材切断工程（Ｓ２０６）及び孔部切り抜き（Ｓ２０８）において、帯状前身頃１０ｚと帯状後身頃２０ｚの形状や大きさを異なるものにすることで、キャミソール型の上半身部分の水着１の前側と後側を認識しやすくすることができる。また、正面と背面とで身体の形状が異なる乳幼児の身体に応じた前身頃１０と後身頃２０の形状とすることができるため、乳幼児の身体に適した上半身部分の水着１とすることができる。
【０１００】
続いて、折り畳み機構２８０において、肩紐構成部材３０を交差方向の中央部で折り畳み、帯状前身頃１０ｚと帯状後身頃２０ｚを厚さ方向において重ね合わせる（Ｓ２０９）。
【０１０１】
重ね合された状態の帯状前身頃１０ｚと帯状後身頃２０ｚを、溶着機構２９０において、所定の領域を溶着して、接合部１Ｂを形成する（Ｓ２１０）。
【０１０２】
最後に、切り離し機構３００において、切断箇所ＣＬで帯状前身頃１０ｚと帯状後身頃２０ｚから前身頃１０と後身頃２０を切り離すことで（Ｓ２１１）、キャミソール型の上半身部分の水着１が形成される。
【０１０３】
本実施形態では、肩紐構成部材接合機構２６０においてホットメルト接着剤を用いることで、前身頃１０及び後身頃２０と、肩紐構成部材３０とをホットメルト接着剤で接合したが、これに限られない。肩紐構成部材接合機構２６０において、ヒートシール等の溶着又は圧着を行ってもよい。ホットメルト接着剤を用いて接合した場合、肩紐固定部３６以外の部分にホットメルト接着剤を塗布すると、製造ラインの汚染や製造装置の不具合等を生じてしまったり、上半身部分の水着１が水に濡れるとホットメルト接着剤による接合部分が緩くなり、肩紐構成部材３０が前身頃１０又は後身頃２０から離れてしまったりする恐れがある。これに対し、前身頃１０及び後身頃２０と、肩紐構成部材３０とをヒートシール等によって接合することで、上半身部分の水着１が水に濡れても接合部が緩くなってしまう恐れをより軽減することができる。
【０１０４】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【０１０５】
上述の実施形態においては、弾性部材２３、３４は、糸ゴムを用いたが、これに限られない。伸縮シート等の他の弾性部材を用いてもよい。
【０１０６】
また、上述の実施形態においては、後身頃２０に弾性部材２３を設けて、前身頃１０に弾性部材を設けないことにしたが、これに限られない。前身頃１０が備える糸ゴム等の弾性部材の数と後身頃２０が備える弾性部材の数が異なるものとすることもできる。例えば、前身頃１０に配置する糸ゴムの数を後身頃２０に配置する糸ゴムの数より多くしても良い。乳幼児のように身体の前面と背面とで体型が大きくことなっていても、体型に応じてフィットさせやすくすることができる。
【０１０７】
前身頃１０が有する糸ゴム等の弾性部材の数と後身頃２０が備える弾性部材の数が異なり、且つ、前身頃１０が備える糸ゴムの数より後身頃２０が備える糸ゴムの数の方が多いことがより好ましい。これによって、乳幼児のより身体の丸みを帯びた前面には、糸ゴムをより少なくした前身頃１０によって伸縮力をより小さくすることで、乳幼児の前面に緩やかに沿わせ易くすることができる。一方、前面よりも平面的な背面には、糸ゴムをより多く配置して、乳幼児の背面にフィットさせ、上半身部分の使い捨ておむつ１の全体としても、乳幼児の胸部回りによりフィットさせることができる。この場合、前身頃１０の左右方向に伸縮する弾性部材は、前身頃１０の上部に配置せず、下部に配置することが好ましい。乳幼児の成長度合いによっては、胸囲が小さくて、前身頃１０と乳幼児の前面との間に隙間を生じて、上半身部分の水着１の下部が身体から離れてしまう場合があるため、前身頃１０及び後身頃２０に設ける弾性部材の数を調整することで、乳幼児の体型に応じたフィット性を与えることができる。
【０１０８】
さらに、上述の実施形態においては、肩紐弾性部材３４と後身頃２０の弾性部材２３とが厚さ方向で重なることにしたが、これに限られない。肩紐弾性部材３４が前身頃１０又は後身頃２０に備えた左右方向に伸縮する弾性部材と厚さ方向で重なっていなくてもよい。また、前身頃１０に弾性部材を備え、肩紐弾性部材３４が前身頃１０の弾性部材と重なるものであってもよいし、肩紐弾性部材３４が、前身頃１０の弾性部材と後身頃２０の弾性部材２３の両方と厚さ方向で重なるものであってもよい。肩紐弾性部材３４と厚さ方向に重なる前身頃１０の弾性部材の数や後身頃２０の弾性部材２３の数が多いほど、肩紐部３５はより強固に前身頃１０や後身頃２０に固定することができる。
【０１０９】
上述の実施形態においては、展開状態かつ伸長状態で、前身頃１０と後身頃２０の左右方向の長さは同じものとし、後身頃２０に弾性部材２３を備えることで、自然状態において、一対の接合部１Ｂが、上半身部分の水着１の後側に位置するようにしたがこれに限られない。予め接合部１Ｂを後側に設けるように各部材の寸法等を変更してもよい。例えば、前身頃１０及び後身頃２０にそれぞれ弾性部材を備え、前身頃１０の左右方向の長さを後身頃２０の左右方向の長さよりも長くする等してもよい。
【０１１０】
また、上述の実施形態においては、一対の接合部１Ｂを備えた上半身部分の水着１であったが、これに限られない。例えば、接合部を１つ備え、前身頃と後身頃を１つの接合部で接合した後に、前身頃及び後身頃に肩紐を固定するものであってもよい。この場合、自然状態において、１つの接合部は、上半身部分の水着１の後側で、左右方向の中央部に設けていることが好ましい。これによって、接合部は、着用状態の着用者を正面から見た場合に、視認することができない場所に設けられているため、美観が向上する。また、一対の接合部１Ｂを設けた場合と同様に、他の部分よりも硬い接合部が背面に設けられているため、着用者が感じる違和感を軽減させることができる。
【０１１１】
上述の実施形態においては、下半身部分の水着２に所謂３ピースタイプのパンツ型の使い捨ておむつを用いたがこれに限られない。所謂２ピースタイプのパンツ型の使い捨ておむつであってもよく、テープ型の使い捨ておむつであってもよい。また、必ずしも上半身部分の水着１と下半身部分の水着２をセットとして使用する必要はない。上半身部分の水着１のみを使用してもよい。
【符号の説明】
【０１１２】
１  上半身部分の水着（乳幼児用上半身部分の使い捨て水着）、
２  下半身部分の水着（乳幼児用下半身部分の使い捨て水着）、
１０  前身頃、
１０ｃ  左右方向の中央における上端、
１０ｂ  最下端部、１０ｔ  最上端部（前身頃最上端）、
１０ｅ  側部、１０ｆ  上端、
１０ｚ  帯状前身頃、
１１  肌側シート部材、１２  非肌側シート部材、
１５  襟部、１５ｂ  最下端、
１６  湾曲部、
２０  後身頃、
２０ｃ  左右方向の中央における上端、
２０ｂ  最下端部、２０ｔ  最上端部（後身頃最上端）、
２０ｅ  側部、２０ｆ  上端、
２０ｚ  帯状後身頃、
２１  肌側シート部材、２２  非肌側シート部材、
３０  肩紐構成部材、
３１  トップシート、３２  バックシート、３３  外装シート、
３４  肩紐弾性部材、
３５  肩紐部（肩紐）、３６  肩紐固定部、
３８  孔部、
１００  使い捨て水着（乳幼児用使い捨て水着、乳幼児用使い捨て水着のセット）、
２００  製造装置、２０１  搬送機構、
２１０  接着領域形成機構、２２０  弾性部材配置機構、
２３０  重ね合せ機構、２４０  弾性部材切断機構、
２５０  基材切断機構、２６０  肩紐構成部材接合機構、
２７０  孔部切り抜き機構、２８０  折り畳み機構、
２９０  溶着機構、３００  切り離し機構、
ａ  基材、ｂ  基材
【図１】
2018197402.tif 000003
【図２】
2018197402.tif 000004
【図３】
2018197402.tif 000005
【図４】
2018197402.tif 000006
【図５】
2018197402.tif 000007
【図６】
2018197402.tif 000008
【図７】
2018197402.tif 000009
【図８】
2018197402.tif 000010
【図９】
2018197402.tif 000011